(57)【要約】【課題】ユーザの電子書籍検索の利便性を向上するとともに、電子書籍サイトを通じての電子書籍の流通・利用を促進する広告配信システムを提供する。【解決手段】電子書籍ビューアのメニュー選択によりメディアサイト１３が提供する検索窓付き検索画面のＷｅｂページがダウンロードされ、ユーザ端末１４に表示された検索窓付き検索画面から検索条件が入力されたとき、検索エンジン１１６は、検索エンジン用ＤＢ１１３から検索条件を満たす広告レコードを検索し、広告検索結果を生成する。ユーザ端末１４に表示された広告検索結果のうち一の広告が選択されたとき、成果発生部１１７は、ユーザ端末１４からのアクセスを選択された広告に対応する広告主サイト１２に転送し、ユーザ端末１４の操作により広告主サイト１２における成果発生行為が実行されたとき、広告主サイト１２から送信される成果通信を元に成果発生行為に対するメディアへの成果値を決定する。【選択図】図２
2011022870.tif 000002
【特許請求の範囲】
【請求項１】
電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信システムであって、
広告主のＷｅｂサイトに係る広告の広告レコードを、前記広告主のＷｅｂサイトごとおよび電子書籍タイトルごとに、広告配信装置が備える検索エンジン用データベースに記憶し、
ユーザ端末におけるユーザの操作により、メディアのＷｅｂサイトが提供する検索窓付き検索画面を有するＷｅｂページにアクセスし、当該アクセスは、Ｗｅｂページを閲覧可能なＷｅｂブラウザでの入力により、あるいは電子書籍閲覧ソフトウェアに設定された当該検索窓付き検索画面を有するＷｅｂページへのリンクの選択により実行され、
前記ユーザ端末におけるユーザの操作により、前記ユーザ端末の表示手段に表示された検索窓付き検索画面から検索条件が入力されたとき、前記広告配信装置が備える検索エンジンが、前記検索条件を元に広告検索結果を生成し、
当該広告検索結果を受信した前記ユーザ端末の操作により、前記ユーザ端末の表示手段に表示された広告検索結果のうち一の広告が選択されたとき、前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える成果発生手段が、前記成果発生行為に対する前記メディアへの成果値を決定すること
を特徴とする広告配信システム。
【請求項２】
請求項１記載の広告配信システムにおいて、
前記広告配信装置の外部にある検索サイトの第２の検索エンジンの検索窓に検索条件が入力されたとき、前記検索サイトから受信する当該検索条件を元に、前記広告配信装置が備える検索エンジンが広告検索結果を生成し、前記検索サイトにおいて前記第２の検索エンジンによる第２の検索結果と合成するために、前記広告検索結果を前記検索サイトに送信すること
を特徴とする広告配信システム。
【請求項３】
請求項１記載の広告配信システムにおいて、
前記ユーザ端末の操作により、前記検索窓付き検索画面から検索条件が入力されたとき、前記広告配信装置の外部にある検索サイトの第２の検索エンジンに、あるいは前記広告配信装置が備える第３の検索エンジンに、前記検索条件を転送し、
前記第２の検索エンジンあるいは前記第３の検索エンジンが、前記検索条件を元に第３の検索結果を生成し、
前記広告配信装置が備える検索エンジンが生成する広告検索結果と、前記広告配信装置の外部にある検索サイトの第２の検索エンジンあるいは前記広告配信装置が備える第３の検索エンジンが生成する第３の検索結果とを合成して、前記ユーザ端末に送信すること
を特徴とする広告配信システム。
【請求項４】
電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信システムであって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶し、
前記広告ＩＤと対応付けられた広告レコードを、広告主のＷｅｂサイトごとおよび電子書籍タイトルごとに、前記広告配信装置が備える検索エンジン用データベースに記憶し、
前記広告配信装置が備える検索窓設置手段が、前記検索エンジン用メディアＩＤを埋め込んだ検索窓付き検索画面をユーザ端末の表示手段に表示させるための、検索窓設置データを生成し、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信し、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成し、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信し、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定すること
を特徴とする広告配信システム。
【請求項５】
請求項４記載の広告配信システムにおいて、
前記広告配信装置が備える通信手段が、前記検索窓設置手段が生成した検索窓設置データを前記メディアのＷｅｂサイトに転送し、当該検索窓設置データは、前記メディアのＷｅｂサイトにおいて、検索窓付き検索画面を有するＷｅｂページを前記ユーザ端末にダウンロード可能に設定するため、あるいは検索窓付き検索画面を有するＷｅｂページおよび該Ｗｅｂページへのリンクが設置された電子書籍閲覧ソフトウェアを前記ユーザ端末にダウンロード可能に設定するために使用されること
を特徴とする広告配信システム。
【請求項６】
請求項４記載の広告配信システムにおいて、
前記ユーザ端末におけるユーザの操作により、前記広告配信装置の外部にある検索サイトの第２の検索エンジンの検索窓に検索条件が入力されたとき、前記広告配信装置が備える通信手段が、前記検索サイトから当該検索条件を受信し、前記広告配信装置が備える検索エンジンが、前記検索サイトから受信した検索条件を元に広告検索結果を生成し、
前記広告配信装置が備える通信手段が、前記検索サイトにおいて前記第２の検索エンジンによる第２の検索結果と合成するために、前記広告検索結果を前記検索サイトに送信すること
を特徴とする広告配信システム。
【請求項７】
請求項４記載の広告配信システムにおいて、
前記ユーザ端末の操作により、前記検索窓付き検索画面から検索条件が入力されたとき、前記広告配信装置が備える通信手段が、前記広告配信装置の外部にある検索サイトの第２の検索エンジンに、あるいは前記広告配信装置が備える第３の検索エンジンに、前記検索条件を転送し、
前記第２の検索エンジンあるいは前記第３の検索エンジンが、前記検索条件を元に第３の検索結果を生成し、
前記広告配信装置が備える通信手段が、前記広告配信装置が備える検索エンジンが生成する広告検索結果と、前記広告配信装置の外部にある検索サイトの第２の検索エンジンあるいは前記広告配信装置が備える第３の検索エンジンが生成する第３の検索結果とを合成して、前記ユーザ端末に送信すること
を特徴とする広告配信システム。
【請求項８】
電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信方法であって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶し、
前記広告ＩＤと対応付けられた広告レコードを、広告主のＷｅｂサイトごとおよび電子書籍タイトルごとに、前記広告配信装置が備える検索エンジン用データベースに記憶し、
前記広告配信装置が備える検索窓設置手段が、前記検索エンジン用メディアＩＤを埋め込んだ検索窓付き検索画面をユーザ端末の表示手段に表示させるための、検索窓設置データを生成し、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信し、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成し、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信し、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定すること
を特徴とする広告配信方法。
【請求項９】
電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信方法を、コンピュータに実行させるためのプログラムを記録した、コンピュータ読み取り可能な記録媒体であって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶するステップ、
前記広告ＩＤと対応付けられた広告レコードを、広告主のＷｅｂサイトごとおよび電子書籍タイトルごとに、前記広告配信装置が備える検索エンジン用データベースに記憶するステップ、
前記広告配信装置が備える検索窓設置手段が、前記検索エンジン用メディアＩＤを埋め込んだ検索窓付き検索画面をユーザ端末の表示手段に表示させるための、検索窓設置データを生成するステップ、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信するステップ、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成するステップ、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信するステップ、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定するステップ、
をコンピュータに実行させるプログラムを記録した記録媒体。
【請求項１０】
電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信方法を、コンピュータに実行させるためのプログラムであって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶するステップ、
前記広告ＩＤと対応付けられた広告レコードを、広告主のＷｅｂサイトごとおよび電子書籍タイトルごとに、前記広告配信装置が備える検索エンジン用データベースに記憶するステップ、
前記広告配信装置が備える検索窓設置手段が、前記検索エンジン用メディアＩＤを埋め込んだ検索窓付き検索画面をユーザ端末の表示手段に表示させるための、検索窓設置データを生成するステップ、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信するステップ、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成するステップ、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信するステップ、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定するステップ、
を含む、広告配信プログラム。
【発明の詳細な説明】
【技術分野】
【０００１】
本発明は、広告配信システム、および広告配信方法に関し、特に、電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信システム、および広告配信方法に関する。
【背景技術】
【０００２】
通信ネットワークを介してコンテンツを配信するコンテンツ配信事業において、音楽・映像を対象とするサービスは既に広く普及しているが、近年、電子書籍を対象とするサービスへの注目が高まっている。また、既存の出版社等の参入が増加し、印刷物とともにあるいは印刷物に代えて優良な電子書籍が大量に提供されるようになると、電子書籍市場は急速に拡大するものと期待されている。
【０００３】
電子書籍を閲覧するための専用の端末装置、あるいは電子書籍閲覧ソフトウェア（以下、「電子書籍ビューア」ということがある。）が、現在入手可能である。電子書籍ビューアがインストールされた通信機能を有する端末装置、例えば、パーソナルコンピュータ（ＰＣ）、携帯電話機、あるいはスマートフォンのユーザは、いわゆる電子書籍サイトから電子書籍をダウンロードし、それを電子書籍ビューアにより楽しむことができる。
【０００４】
電子書籍サイトからダウンロード可能な電子書籍には、コミック、小説等の書籍、写真集等の紙媒体が電子化されたものがある。なお、本明細書において電子書籍は、これらに限られるものではなく、新聞社や出版社から提供される、新聞、雑誌、商品カタログ、フリーペーパーなどの紙媒体が電子化されたものも含まれる。
【０００５】
ところで、商品やサービス提供者の広告を、検索サイトの検索結果ページや、検索サイトと提携する提携サイトの検索結果に掲載するサービス、いわゆる検索連動型広告は、例えばオーバーチュア社のスポンサードサーチ（オーバーチュア社の商標）やGoogle社のGoogle
AdWordsにより既に行われている（非特許文献１）。
【先行技術文献】
【非特許文献】
【０００６】
【非特許文献１】Google AdWords スターターガイドブック                      （http://www.google.co.jp/adwords/adwords_handbook.pdf）
【発明の概要】
【発明が解決しようとする課題】
【０００７】
既存の検索連動型広告は、通常ポータルサイトのサイト検索に組み込まれた形態で提供される。このため、電子書籍という特定のコンテンツを検索したいユーザの利用比率は必ずしも高いとはいえない。また、広告費用は、基本的に表示ないしクリック単価により決定されるものであり、現在ニーズが高まっている、商品やサービスの購入や会員登録が行われる等の成果があった場合に広告費用を発生させる成果報酬型広告とは異なる仕組みとなっている。
【０００８】
他方、電子書籍サイトで一般に提供されている検索機能は、自社サイトで提供される電子書籍の販売促進を目的としたものであり、複数の電子書籍サイトにわたって電子書籍を検索する検索機能を提供する仕組み、あるいは検索を通じて他社サイトを広告するような仕組みは、これまで存在しなかった。
【０００９】
現状の電子書籍ビューアの使用対価に関し、ユーザは電子書籍ビューアを無償で使用できる代わりに、電子書籍サイトが、当該電子書籍ビューアで閲覧可能な電子書籍の販売量に応じて使用対価を支払うようになっている。しかしながら、電子書籍サイトが支払う広告費用の一部を、電子書籍ビューアの使用対価の支払いに当ることを可能とするような仕組みは、これまで存在しなかった。
【００１０】
そこで、本発明は、以上のような既存技術の問題点を解決し、ユーザの電子書籍検索の利便性を向上するとともに、電子書籍サイトを通じての電子書籍の流通・利用を促進する広告配信システム、および広告配信方法を提供することを目的とする。
【課題を解決するための手段】
【００１１】
本発明者は、複数の電子書籍サイトの運営者が、成果報酬型の広告出稿をすることで、電子書籍の流通・利用を促進する、新たな仕組みを鋭意検討した結果、本発明を完成した。
すなわち、本発明は、電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信システムであって、
広告主のＷｅｂサイトに係る広告の広告レコードを、前記広告主のＷｅｂサイトごとおよび電子書籍タイトルごとに、広告配信装置が備える検索エンジン用データベースに記憶し、
ユーザ端末におけるユーザの操作により、メディアのＷｅｂサイトが提供する検索窓付き検索画面を有するＷｅｂページにアクセスし、当該アクセスは、Ｗｅｂページを閲覧可能なＷｅｂブラウザでの入力により、あるいは電子書籍閲覧ソフトウェアに設定された当該検索窓付き検索画面を有するＷｅｂページへのリンクの選択により実行され、
前記ユーザ端末におけるユーザの操作により、前記ユーザ端末の表示手段に表示された検索窓付き検索画面から検索条件が入力されたとき、前記広告配信装置が備える検索エンジンが、前記検索条件を元に広告検索結果を生成し、
当該広告検索結果を受信した前記ユーザ端末の操作により、前記ユーザ端末の表示手段に表示された広告検索結果のうち一の広告が選択されたとき、前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える成果発生手段が、前記成果発生行為に対する前記メディアへの成果値を決定すること
を特徴とする。
【００１２】
本発明の好ましい実施の形態によれば、本発明の広告配信システムは、
前記広告配信装置の外部にある検索サイトの第２の検索エンジンの検索窓に検索条件が入力されたとき、前記検索サイトから受信する当該検索条件を元に、前記広告配信装置が備える検索エンジンが広告検索結果を生成し、前記検索サイトにおいて前記第２の検索エンジンによる第２の検索結果と合成するために、前記広告検索結果を前記検索サイトに送信すること
を特徴とする。
【００１３】
本発明のもう一つの実施の形態によれば、本発明の広告配信システムは、
前記ユーザ端末の操作により、前記検索窓付き検索画面から検索条件が入力されたとき、前記広告配信装置の外部にある検索サイトの第２の検索エンジンに、あるいは前記広告配信装置が備える第３の検索エンジンに、前記検索条件を転送し、
前記第２の検索エンジンあるいは前記第３の検索エンジンが、前記検索条件を元に第３の検索結果を生成し、
前記広告配信装置が備える検索エンジンが生成する広告検索結果と、前記広告配信装置の外部にある検索サイトの第２の検索エンジンあるいは前記広告配信装置が備える第３の検索エンジンが生成する第３の検索結果とを合成して、前記ユーザ端末に送信すること
を特徴とする。
【００１４】
本発明は、また、電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信システムであって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶し、
前記広告ＩＤと対応付けられた広告レコードを、広告主のＷｅｂサイトごとおよび電子書籍タイトルごとに、前記広告配信装置が備える検索エンジン用データベースに記憶し、
前記広告配信装置が備える検索窓設置手段が、前記検索エンジン用メディアＩＤを埋め込んだ検索窓付き検索画面をユーザ端末の表示手段に表示させるための、検索窓設置データを生成し、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信し、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成し、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信し、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定すること
を特徴とする。
【００１５】
本発明の好ましい実施の形態によれば、本発明の広告配信システムは、
前記広告配信装置が備える通信手段が、前記検索窓設置手段が生成した検索窓設置データを前記メディアのＷｅｂサイトに転送し、当該検索窓設置データは、前記メディアのＷｅｂサイトにおいて、検索窓付き検索画面を有するＷｅｂページを前記ユーザ端末にダウンロード可能に設定するため、あるいは検索窓付き検索画面を有するＷｅｂページおよび該Ｗｅｂページへのリンクが設置された電子書籍閲覧ソフトウェアを前記ユーザ端末にダウンロード可能に設定するために使用されること
を特徴とする。
【００１６】
さらに、本発明の一つの実施の形態によれば、本発明の広告配信システムは、
前記ユーザ端末におけるユーザの操作により、前記広告配信装置の外部にある検索サイトの第２の検索エンジンの検索窓に検索条件が入力されたとき、前記広告配信装置が備える通信手段が、前記検索サイトから当該検索条件を受信し、前記広告配信装置が備える検索エンジンが、前記検索サイトから受信した検索条件を元に広告検索結果を生成し、
前記広告配信装置が備える通信手段が、前記検索サイトにおいて前記第２の検索エンジンによる第２の検索結果と合成するために、前記広告検索結果を前記検索サイトに送信すること
を特徴とする。
【００１７】
本発明のもう一つの実施の形態によれば、本発明の広告配信システムは、
前記ユーザ端末の操作により、前記検索窓付き検索画面から検索条件が入力されるとき、前記広告配信装置が備える通信手段が、前記広告配信装置の外部にある検索サイトの第２の検索エンジンに、あるいは前記広告配信装置が備える第３の検索エンジンに、前記検索条件を転送し、
前記第２の検索エンジンあるいは前記第３の検索エンジンが、前記検索条件を元に第３の検索結果を生成し、
前記広告配信装置が備える通信手段が、前記広告配信装置が備える検索エンジンが生成する広告検索結果と、前記第２の検索エンジンあるいは前記第３の検索エンジンが生成する第３の検索結果とを合成して、前記ユーザ端末に送信すること
を特徴とする。
【００１８】
また、本発明の広告配信方法は、電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信方法であって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶し、
前記広告ＩＤと対応付けられた広告レコードを、広告主のＷｅｂサイトごとおよび電子書籍タイトルごとに、前記広告配信装置が備える検索エンジン用データベースに記憶し、
前記広告配信装置が備える検索窓設置手段が、前記検索エンジン用メディアＩＤを埋め込んだ検索窓付き検索画面をユーザ端末の表示手段に表示させるための、検索窓設置データを生成し、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信し、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成し、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信し、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定すること
を特徴とする。
【００１９】
さらに、本発明の記録媒体は、電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信方法を、コンピュータに実行させるためのプログラムを記録した、コンピュータ読み取り可能な記録媒体であって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶するステップ、
前記広告ＩＤと対応付けられた広告レコードを、広告主のＷｅｂサイトごとおよび電子書籍タイトルごとに、前記広告配信装置が備える検索エンジン用データベースに記憶するステップ、
前記広告配信装置が備える検索窓設置手段が、前記検索エンジン用メディアＩＤを埋め込んだ検索窓付き検索画面をユーザ端末の表示手段に表示させるための、検索窓設置データを生成するステップ、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信するステップ、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成するステップ、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信するステップ、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定するステップ、
をコンピュータに実行させるプログラムを記録した記録媒体である。
【００２０】
さらに、本発明の広告配信プログラムは、電子書籍を提供する広告主のＷｅｂサイトに係る広告を、メディアのＷｅｂサイトに掲載し、広告主のＷｅｂサイトにおいて、電子書籍を閲覧可能なユーザ端末による成果発生行為に誘導することにより、メディアに報酬が支払われるサービスを、通信ネットワークに接続されるユーザ端末を介して提供する広告配信方法を、コンピュータに実行させるためのプログラムであって、
メディアを特定するメディアＩＤ、該メディアＩＤと対応づけられた検索エンジン用メディアＩＤ、および広告主のＷｅｂサイトに係る広告を特定する広告ＩＤを、広告配信装置が備える記憶手段に記憶するステップ、
前記広告ＩＤと対応付けられた広告レコードを、広告主のＷｅｂサイトごとおよび電子書籍タイトルごとに、前記広告配信装置が備える検索エンジン用データベースに記憶するステップ、
前記広告配信装置が備える検索窓設置手段が、前記検索エンジン用メディアＩＤを埋め込んだ検索窓付き検索画面をユーザ端末の表示手段に表示させるための、検索窓設置データを生成するステップ、
前記ユーザ端末におけるユーザの操作により、検索窓付き検索画面を前記ユーザ端末が備える表示手段に表示させ、前記ユーザ端末の操作により、前記検索窓付き検索画面から検索条件が入力されるとき、前記広告配信装置が備える通信手段が、当該検索条件と前記検索エンジン用メディアＩＤを受信するステップ、
前記広告配信装置が備える検索エンジンが、前記検索エンジン用データベースから、前記入力された検索条件を満たす広告レコードを検索し、前記広告配信装置へのリンク情報、並びに前記検索エンジン用メディアＩＤに対応するメディアＩＤ、および前記検索により抽出した広告レコードに対応する広告ＩＤを広告ごとに対応づけた、広告検索結果を生成するステップ、
前記広告配信装置が備える通信手段が、当該広告検索結果を前記ユーザ端末に送信し、前記ユーザ端末の操作により、前記ユーザ端末の表示手段に表示された広告検索結果のうち一の広告が選択されたとき、前記メディアＩＤおよび選択された広告の広告ＩＤを前記ユーザ端末から受信するステップ、
前記広告配信装置が備える成果発生手段が、前記ユーザ端末からのアクセスを前記選択された広告に対応する広告主のＷｅｂサイトに転送し、前記ユーザ端末の操作により広告主のＷｅｂサイトにおける成果発生行為が実行されたとき、前記広告配信装置が備える通信手段が、前記広告主のＷｅｂサイトから送信される成果通信を受信し、前記広告配信装置が備える成果発生手段が、前記成果発生行為に対する前記メディアへの成果値を決定するステップ、
を含む、広告配信プログラムである。
【発明の効果】
【００２１】
本発明によると、ユーザ端末におけるユーザの操作により、ユーザは、メディアのＷｅｂサイトが提供する検索窓付き検索画面を有するＷｅｂページにアクセスする。このアクセスは、Ｗｅｂページを閲覧可能なＷｅｂブラウザでの入力により、あるいは電子書籍閲覧ソフトウェアに設定された当該検索窓付き検索画面を有するＷｅｂページへのリンクの選択により実行される。したがって、Ｗｅｂブラウザでの入力あるいは電子書籍ビューアに設定されたリンクの実行により、検索窓付き検索画面を有するＷｅｂページをユーザ端末の表示手段に表示されることができる。
【００２２】
広告配信装置が備える検索エンジン用データベースは、広告主のＷｅｂサイトに係る広告の広告レコードを、前記広告主のＷｅｂサイトごとおよび電子書籍タイトルごとに記憶している。そして、ユーザ端末におけるユーザの操作により、ユーザ端末の表示手段に表示された検索窓付き検索画面から検索条件が入力されたとき、広告配信装置が備える検索エンジンが、検索条件を元に広告検索結果を生成する。ユーザ端末により受信されユーザ端末の表示手段に表示されるこの広告検索結果は、複数の広告主のＷｅｂサイトすなわち複数の電子書籍サイトの電子書籍タイトルを一度に検索した結果である。したがって、ユーザの電子書籍検索の利便性を大幅に向上することができる。
【００２３】
そして、ユーザ端末の操作により、広告検索結果のうち一の広告が選択されたとき、広告配信装置が備える成果発生手段が、ユーザ端末からのアクセスを選択された広告に対応する広告主のＷｅｂサイトに転送し、ユーザ端末の操作により広告主のＷｅｂサイトにおける成果発生行為が実行されたとき、広告配信装置が備える成果発生手段が、成果発生行為に対するメディアへの成果値を決定する。これにより、複数の広告主のＷｅｂサイトすなわち複数の電子書籍サイトの書籍検索機能に連動する、成果報酬型の広告配信が可能となる。
【００２４】
また、本発明の一つの実施の態様において、広告配信システムを、広告配信装置の外部にある検索サイトの第２の検索エンジンの検索窓に検索条件が入力されたとき、検索サイトから受信する当該検索条件を元に、広告配信装置が備える検索エンジンが広告検索結果を生成し、検索サイトにおいて第２の検索エンジンによる第２の検索結果と合成するために、広告検索結果を検索サイトに送信するよう構成した場合、電子書籍サイトに限定しないすべてのＷｅｂサイトないしＷｅｂページを検索する、汎用の検索サイトでの検索を行うだけで、ユーザは、通常の検索結果と、本発明の広告配信システムのための検索エンジンによる広告検索結果とを、同時に取得することができる。なお、ユーザが成果発生行為に至った場合、メディアに相当する汎用の検索サイトに報酬が支払われるようなサービスを実現することが可能となる。
【００２５】
さらに、本発明のもう一つの実施の形態において、広告配信システムを、ユーザ端末の操作により、検索窓付き検索画面から検索条件が入力されたとき、広告配信装置の外部にある検索サイトの第２の検索エンジンに、あるいは広告配信装置が備える第３の検索エンジンに、検索条件を転送し、第２の検索エンジンあるいは第３の検索エンジンが、検索条件を元に第３の検索結果を生成し、広告配信装置が備える検索エンジンが生成する広告検索結果と、広告配信装置の外部にある検索サイトの第２の検索エンジンあるいは広告配信装置が備える第３の検索エンジンが生成する第３の検索結果とを合成して、ユーザ端末に送信するよう構成する。このように構成した場合にも、ユーザは、本発明の広告配信システムのための検索エンジンによる広告検索結果と、電子書籍サイトに限定しない一般のＷｅｂサイトないしＷｅｂページを検索した検索結果である第３の検索結果とを、同時に取得することができる、という利点がある。なお、広告配信装置が備える検索エンジンによる広告検索結果を元にユーザが成果発生行為に至った場合に、メディアへの成果値が決定される。
【００２６】
また、本発明によると、広告配信装置が備える検索窓設置手段は、検索エンジン用メディアＩＤを埋め込んだ検索窓付き検索画面をユーザ端末の表示手段に表示させるための、検索窓設置データを生成する。本発明の好ましい実施の形態において、広告配信装置が備える通信手段は、検索窓設置手段が生成した検索窓設置データを、メディアのＷｅｂサイトに転送することができる。このように転送された検索窓設置データは、メディアのＷｅｂサイトにおいて、検索窓付き検索画面を有するＷｅｂページをユーザ端末にダウンロード可能に設定するため、あるいは検索窓付き検索画面を有するＷｅｂページおよび該Ｗｅｂページへのリンクが設置された電子書籍閲覧ソフトウェアをユーザ端末にダウンロード可能に設定するために使用される。
次いで、ユーザ端末におけるユーザの操作により、検索窓付き検索画面をユーザ端末が備える表示手段に表示させ、ユーザ端末の操作により、検索窓付き検索画面から検索条件が入力されるとき、広告配信装置が備える通信手段が、当該検索条件と検索エンジン用メディアＩＤを受信する。
【００２７】
この検索エンジン用メディアＩＤは、「メディア」、すなわち電子書籍を提供する広告主のＷｅｂサイトに係る広告を掲載する媒体を特定するメディアＩＤと対応づけて、記憶手段に記憶されている。このため、通信手段が受信した検索エンジン用メディアＩＤから、対応するメディアＩＤを特定することができる。
【００２８】
広告配信装置が備える検索エンジンは、検索エンジン用データベースから、入力された検索条件を満たす広告レコードを検索し、広告配信装置へのリンク情報、並びに検索エンジン用メディアＩＤに対応するメディアＩＤ、および検索により抽出した広告レコードに対応する広告ＩＤを広告ごとに対応づけた、広告検索結果を生成する。この広告検索結果は、通信手段によりユーザ端末に送信される。ここで、広告配信装置が備える検索エンジン用データベースには、広告ＩＤと対応付けられた広告レコードが、広告主のＷｅｂサイトごとおよび電子書籍タイトルごとに記憶されているので、広告検索結果は、複数の広告主のＷｅｂサイトすなわち複数の電子書籍サイトの電子書籍タイトルを一度に検索した結果であるため、ユーザの電子書籍検索の利便性を大幅に向上することができる。
【００２９】
次に、ユーザ端末の操作により、ユーザ端末の表示手段に表示された広告検索結果のうち一の広告が選択されたとき、通信手段は、メディアＩＤおよび選択された広告の広告ＩＤをユーザ端末から受信する。これにより、次の成果発生手段では、ユーザを広告主のＷｅｂサイトに誘導したメディアがどれか、選択された広告主の広告がどれかを特定することができる。
【００３０】
広告配信装置が備える成果発生手段は、ユーザ端末からのアクセスを、ユーザにより選択された広告に対応する広告主のＷｅｂサイトに転送する。そして、ユーザ端末の操作により広告主のＷｅｂサイトにおける成果発生行為（例えば、広告主のＷｅｂサイトへの会員登録あるいは電子書籍の購入）が実行されたとき、通信手段は、広告主のＷｅｂサイトから送信される成果通信を受信するので、成果発生手段は、この成果通信を元に、成果発生行為に対するメディアへの成果値を決定することができる。
【００３１】
以上により、複数の広告主のＷｅｂサイトすなわち複数の電子書籍サイトの書籍検索機能に連動する、成果報酬型の広告配信が可能となる。
【００３２】
上記した本発明の目的および利点並びに他の目的および利点は、以下の実施の形態の説明を通じてより明確に理解される。もっとも、以下に記述する実施の形態は例示であって、本発明はこれらに限定されるものではない。
【図面の簡単な説明】
【００３３】
【図１】本発明を適用した広告配信システム１の一実施の形態についての概略構成を示す図である。
【図２】広告配信装置１１の機能的構成を示すブロック図である。
【図３】登録マスターＤＢに格納されるメディアレコードの要部の一例を示す図である。
【図４】登録マスターＤＢに格納される検索エンジン用メディアレコードの要部の一例を示す図である。
【図５】登録マスターＤＢに格納される広告主の広告レコードの要部の一例を示す図である
【図６】検索エンジン用ＤＢに格納される広告レコードの要部の一例を示す図である。
【図７】メディア登録処理および検索エンジン用メディア登録処理のフローの一例を示す図である。
【図８】検索窓付き検索画面のダウンロード処理および検索エンジンによる広告検索処理のフローの一例を示す図である。
【図９】成果発生処理のフローの一例を示す図である。
【図１０】検索メニュー付き電子書籍ビューアをユーザ端末のアプリ一覧から起動させたときの、検索メニューを選択可能な起動ＴＯＰ画面の例を示す図である。
【図１１】検索メニュー付き電子書籍ビューアの閲覧画面(Ａ)から、検索メニューを選択可能なメニュー画面ＴＯＰ(Ｂ)を表示させる例を示す図である。
【図１２】検索メニュー付き電子書籍ビューアの閲覧最終ページにおいて、検索メニューを選択可能な最終ページポップフローを表示させる例を示す図である。
【図１３】ユーザ端末に表示される検索窓付き検索画面ページの一例を示す図である。
【図１４】ユーザ端末に表示される広告検索結果の一例を示す図である。
【符号の説明】
【００３４】
１  広告配信システム
１１  広告配信装置
１２  広告主サイト
１３  メディアサイト
１４  ユーザ端末
１５  通信ネットワーク
【発明を実施するための形態】
【００３５】
以下、本発明の好ましい実施の形態を図面に基づき詳しく説明する。なお、以下の説明では、電子書籍ビューアがインストールされた携帯電話機あるいはスマートフォンであるユーザ端末と、当該ユーザ端末に向けて電子書籍を提供する、複数の広告主のＷｅｂサイト（以下、「広告主サイト」という。）と、当該広告主サイトの広告を掲載する、一つまたは複数のメディアのＷｅｂサイト（以下、「メディアサイト」という。）と、広告配信装置とが、通信ネットワークを介して接続されている広告配信システムに、本発明を適用する例について述べる。
【００３６】
図１は、本発明を適用した広告配信システム１の一実施の形態についての概略構成を示す図である。図１に示すように、広告配信システム１は、広告配信装置１１、広告主サイト１２、メディアサイト１３、およびユーザ端末１４を含み、通信ネットワーク１５を介して互いに接続されている。
【００３７】
広告配信装置１１は、電子書籍を提供する広告主サイト１２に係る広告を、メディアサイト１３に掲載し、広告主サイト１２において、電子書籍を閲覧可能なユーザ端末１４による成果発生行為に誘導することにより、メディアに報酬が支払われるサービスを、通信ネットワーク１５に接続されるユーザ端末１４を介して提供する。
【００３８】
広告主サイト１２は、登録会員に電子書籍を提供する広告主が運営するＷｅｂサイトである。広告主サイト１２を運営する広告主は、後述するように、広告主サイト１２に係る広告を、広告配信装置１１を通じて、メディアサイト１３に掲載してもらうべく広告出稿を行う。なお、図１では、説明の便宜のために一の広告主サイト１２のみを図示しているが、実際には二以上の、複数の広告主サイトが、本発明の目的のために通信ネットワークに接続されることに留意されたい。
【００３９】
メディアサイト１３は、広告主の広告を掲載するＷｅｂサイトである。メディアサイト１３を運営するメディアは、直接、広告配信装置１１を運営する管理者を通じて、広告を受けても良いし、途中に図示しない成果報酬型広告とりまとめ者すなわちＡＳＰ（Affiliate Service Provider）を仲介させて、間接的に広告配信装置１１を運営する管理者を通じて、広告を受けても良い。
【００４０】
ユーザ端末１４は、前記のとおり、電子書籍ビューアがインストールされた携帯電話機あるいはスマートフォンであり、携帯電話サービス事業者（以下「キャリア」という。）のパケット通信網およびインターネット接続サービスを提供可能なサービスセンター１６を介して、インターネットに接続されている。なお、ユーザ端末の種類、電子書籍ビューアの種類、および電子書籍のフォーマットは、本発明の性質を逸脱しない限りにおいて、特に限定はしない。
【００４１】
ユーザ端末１４は、また、Ｗｅｂページを閲覧可能なＷｅｂブラウザを搭載し、当該Ｗｅｂブラウザの機能により、ユーザ端末１４が備える表示部に各種のＷｅｂページを表示することができる。ユーザ端末１４が表示するＷｅｂページは、ＨＴＭＬ（HyperText Markup Language）、ＸＭＬ（eXtensible Markup Language）、ＣｏｍｐａｃｔＨＴＭＬ、ＤＨＴＭＬ（Dynamic HTML）、ＷＭＬ（Wireless Markup Language）、ＨＤＭＬ（Handheld Device Markup Language）等のマークアップ言語及びこれらを拡張した言語により記述したファイルとすることができるが、それらに限定されるものではない。なお、上記の各種規格はあくまで例として示すものであって、本発明の適用範囲には、現在及び将来において、上記以外の規格や上記規格を拡張した規格に準拠したものも当然に含まれる。
【００４２】
ユーザは、ユーザ端末１４が備える入力部を操作して、電子書籍ビューア上の各種ボタンの押下により、表示される書籍のページを前後に移動し、あるいは各種メニューを表示し、実行させることができる。また、ユーザは、ユーザ端末１４が備える入力部を操作して、Ｗｅｂページをスクロールし、各種ボタンを押下して各種の要求やコマンドを実行させ、また検索窓等の入力ボックスに文字、記号、数字その他の情報を入力することができる。
【００４３】
なお、広告配信装置１１、広告主サイト１２、メディアサイト１３は各々、Ｗｅｂサーバ、データベース（ＤＢ）、ルータ、および回線終端装置（ＤＳＵ）を含んでいる。このうち、Ｗｅｂサーバは、ＣＰＵ、ＲＯＭまたはハードディスク等の記憶装置、ＲＡＭ、ＵＳＢ（Universal Serial Bus）等のＩ／Ｆ部、通信制御部、キーボードおよびマウス等の入力デバイス、および表示部を含むことができる。Ｗｅｂサーバが備えるＣＰＵは、記憶装置に格納されているプログラムを読み出し、ＲＡＭが有するワークエリアに展開して実行し、Ｉ／Ｆ部、通信制御部、入力デバイス、および表示部の各部を制御する。
【００４４】
既に言及した通信ネットワーク１５は、専用線、公衆電話回線、衛星通信回線等の各種通信回線や図示しない各種サーバ等を含んで構成されても良く、その具体的様態は特に限定されない。また、広告配信装置１１、広告主サイト１２、メディアサイト１３、キャリアのサービスセンター１６と通信ネットワーク１５との間には、ＩＳＰ（Internet Service Provider）やＮＳＰ（Network Service Provider）が介在する構成としても良い。
【００４５】
図２は、広告配信装置１１の機能的構成を示すブロック図である。
図２に示すように、広告配信装置１１は、登録マスターＤＢ１１２、検索エンジン用ＤＢ１１３、検索窓設置部１１４、通信部１１５、検索エンジン１１６、成果発生部１１７、およびキックバック処理部１１８を備え、各部はお互いにバス（システムバス、ＵＳＢ等）により接続されている。
【００４６】
広告配信装置１１は一つのコンピュータまたはコンピュータ群であって、ＣＰＵ２１１及び記憶装置２１２を含む。記憶装置２１２、例えばハードディスク（ＨＤＤ）又はメモリ（ＲＡＭ）には、ＯＳ（Operating System）、及び本発明に固有の広告配信処理をコンピュータに実行させるプログラム（以下、「広告配信プログラム」という場合がある）が格納されており、この広告配信プログラムが実行されることによって、上記の登録マスターＤＢ１１２から成果発生部１１７、およびキックバック処理部１１８までを含む各部の動作が制御される。なお、登録マスターＤＢ１１２、検索エンジン用ＤＢ１１３は、広告配信装置１１に接続される独立したＤＢサーバであっても良い。
【００４７】
次に、図２に示す各部を説明する。
登録部１１１は、メディアサイト１３からの後述するメディア登録申請を受け付け、広告配信装置１１で与えられるメディア登録承認指示、および検索エンジン用メディア登録指示に応じて、それぞれメディアＩＤ、および検索エンジン用メディアＩＤの発行処理等を行う。
【００４８】
登録マスターＤＢ１１２は、メディアを特定するメディアＩＤ、および該メディアＩＤと対応づけられた検索エンジン用メディアＩＤを格納する。図３に、登録マスターＤＢ１１２に格納されるメディアレコードの要部の一例を、図４に、登録マスターＤＢ１１２に格納される検索エンジン用メディアレコードの要部の一例を、それぞれ示す。本実施の形態において、検索エンジン用メディアＩＤがメディアＩＤと対応づけされているため、広告配信装置１１で管理されるメディアオーナー固有のメディアＩＤを、後述する検索窓付き検索画面に埋め込む必要がなく、情報管理上の安全性が向上する。
また、登録マスターＤＢ１１２は、広告主サイトに係る広告を特定する広告ＩＤを格納する。図５に、登録マスターＤＢ１１２に格納される広告主の広告レコードの要部の一例を示す。
【００４９】
検索エンジン用ＤＢ１１３は、広告ＩＤと対応付けられた広告レコードを、広告主サイトごとおよび電子書籍タイトルごとに格納する。図６に、検索エンジン用ＤＢ１１３に格納される広告レコードの要部の一例を示す。ここで、各広告レコードには、サイトｃｏｄｅが付与されている。このサイトｃｏｄｅは、図５に示す広告主レコードに格納されている広告主サイトとユニークに対応づけられている。
【００５０】
検索窓設置部１１４は、検索エンジン用メディアＩＤを埋め込んだ、後述する検索窓付き検索画面をユーザ端末の表示手段に表示させるための、検索窓設置データを生成する。
【００５１】
通信部１１５は、ユーザ端末１４におけるユーザの操作により、後述する検索窓付き検索画面がユーザ端末１４の表示部に表示され、さらにユーザ端末１４の操作により、検索窓付き検索画面から検索条件が入力されるとき、検索条件と検索エンジン用メディアＩＤを、ユーザ端末１４から受信する。また、通信部１１５は、後述する検索エンジン１１６が生成する広告検索結果をユーザ端末１４に送信し、ユーザ端末１４の操作により、ユーザ端末１４の表示部に表示された広告検索結果のうち一の広告が選択されたとき、メディアＩＤおよび選択された広告の広告ＩＤをユーザ端末１４から受信する。さらに、通信部１１５は、ユーザ端末１４の操作により広告主サイト１２における成果発生行為が実行されたとき、広告主サイト１２から送信される成果通信を受信する。
【００５２】
検索エンジン１１６は、検索エンジン用ＤＢ１１３から、後述する検索窓付き検索画面から入力された検索条件を満たす広告レコードを検索し、広告配信装置１１へのリンク情報、並びに検索エンジン用メディアＩＤに対応するメディアＩＤ、および検索により抽出した広告レコードに対応する広告ＩＤを広告ごとに対応づけた、広告検索結果を生成する。
【００５３】
成果発生部１１７は、ユーザ端末からのアクセスを選択された広告に対応する広告主サイトに転送する。また、成果発生部１１７は、ユーザ端末の操作により実行された広告主サイトにおける成果発生行為に対するメディアへの成果値を決定する。
【００５４】
次に、図７、図８、図９、図１０、図１１、および図１２を参照し、広告配信システム１の動作を説明する。
図７は、メディア登録処理および検索エンジン用メディア登録処理のフローの一例を示す図、図８は、検索窓付き検索画面のダウンロード処理および検索エンジンによる広告検索処理のフローの一例を示す図、図９は、成果発生処理のフローの一例を示す図である。
【００５５】
図７を参照して、まず、ステップＳ１０１において、メディアサイト１３は、広告配信装置１１へメディア登録申請を送信する。メディアサイト１３では、広告配信装置１１によってあらかじめ用意された図示しないメディア登録申請画面で、メディアサイト１３の図示しない入力デバイスを操作して、メディアオーナー名、メディア名、メディアサイトのＵＲＬ等の情報を入力し、広告配信装置１１に送信する。ステップＳ１０２において、広告配信装置１１の登録部１１１は、メディア登録申請を受け付け、ステップＳ１０３において、所定の審査を経てメディア登録承認の指示が与えられたとき、そのメディア固有のメディアＩＤを発行する。ステップＳ１０４において、メディアサイト１３は、広告配信装置１１からメディア登録完了通知を受信する。
【００５６】
次に、ステップＳ１０５に進み、広告配信装置１１の登録部１１１に、検索エンジン用メディア登録の指示が与えられる。ステップＳ１０６において、広告配信装置１１の登録部１１１は、検索エンジン用メディアＩＤを発行する。
他方、広告配信装置１１の検索窓設置部１１４は、検索窓設置用のソースタグを生成し、メディアサイト１３に向けて開示するよう動作する。検索窓設置部１１４が生成する当該ソースタグには、特に検索エンジン用メディアＩＤが指定されている。
【００５７】
ステップ１０７において、メディアサイト１３は、広告配信装置１１から、検索エンジン用メディア登録完了通知と、検索窓設置用のソースタグを受信する。メディアサイト１３では、検索エンジン用メディアＩＤが指定されている検索窓設置用のソースタグが、所定のＷｅｂページに組み込まれることにより、検索窓の設置が完了する。
以上により、メディアサイト１３のＷｅｂページが、ユーザ端末１４によりアクセスされたとき、検索エンジン用メディアＩＤが埋め込まれた検索窓付き検索画面（図１３）をユーザ端末１４の表示部に表示させることができる。
【００５８】
次に、図８、図１１、図１２、図１３および図１４を参照して、検索窓付き検索画面のダウンロード処理および検索エンジンによる広告検索処理を説明する。
【００５９】
図８のステップＳ２０１において、ユーザ端末１４からメディアサイト１３にアクセスが行われる。ステップＳ２０２において、メディアサイト１３は、ユーザ端末１４に対してユーザ特定ＩＤを発行して付与する。続くステップＳ２０３において、メディアサイト１３は、図１３に一例を示す検索窓付き検索画面のＷｅｂページのダウンロード、あるいは次に述べる検索メニュー付き電子書籍ビューアのダウンロードを、ユーザ端末１４に対して提供する。
【００６０】
図１０、図１１および図１２に、検索メニュー付き電子書籍ビューアの異なる画面例を示す。
図１０は、検索メニュー付き電子書籍ビューアをユーザ端末１４のアプリ一覧から起動させたときの、検索メニューを選択可能な起動ＴＯＰ画面の例を示す。起動ＴＯＰ画面に「ブック検索」メニュー３０１が表示されている。
【００６１】
図１１は、検索メニュー付き電子書籍ビューアの閲覧画面(Ａ)から、検索メニューを選択可能なメニュー画面ＴＯＰ(Ｂ)を表示させる例を示す。閲覧画面(Ａ)のメニューボタンを押下することにより表示されるメニュー画面ＴＯＰ(Ｂ)に、「ブックの検索」メニュー３０２が表示されている。
【００６２】
図１２は、検索メニュー付き電子書籍ビューアの閲覧最終ページにおいて、検索メニューを選択可能な最終ページポップフローを表示させる例を示す。最終ページポップフローに「ブックを検索する」メニュー３０３が表示されている。
【００６３】
電子書籍ビューアのプログラムは、以上の検索メニュー付き電子書籍ビューアの画面の「ブック検索」メニュー３０１、「ブックの検索」メニュー３０２、あるいは「ブックを検索する」メニュー３０３のいずれかが選択されると、ユーザ端末１４に、図１３に示す検索窓付き検索画面のＷｅｂページが直ちにダウンロードされるよう構成することができる。
【００６４】
以上により、ステップＳ２０４における、ユーザ端末１４での検索窓付き検索画面の表示が完了する。
【００６５】
ステップＳ２０４に続くステップＳ２０５において、図１３に示すように、ユーザ端末１４の表示部に表示された検索窓付き検索画面４０１において、検索窓４０２に検索条件が入力され、検索ボタン４０３が押下されることにより、検索条件（図示の例では「かれし」）が、検索エンジン用メディアＩＤとともに、広告配信装置１１に送信される。
【００６６】
ステップＳ２０６において、広告配信装置１１の通信部１１５は、ユーザ端末１４から検索条件とメディアＩＤを受信すると、検索条件を検索エンジン１１６に渡す。検索エンジン１１６は、検索エンジン用ＤＢ１１３から、当該検索条件を満たす広告レコードを検索し、広告配信装置１１へのリンク情報、並びに受信した検索エンジン用メディアＩＤに対応するメディアＩＤ、および検索により抽出した広告レコードに対応する広告ＩＤを広告ごとに対応づけた、広告検索結果を生成する。次いで、広告配信装置１１の通信部１１５は、当該広告検索結果をユーザ端末１４に送信する。
【００６７】
そして、ステップＳ２０７において、ユーザ端末１４の表示部には、図１４に示すような、検索条件を満たす電子書籍タイトルを一覧表示する広告検索結果５０１が表示される。
広告検索結果５０１において、電子書籍タイトルごとに、サムネイル画像、作品タイトル、アーティスト名、書籍コメントが表示されるよう構成することができる。このような検索結果としての各電子書籍タイトルの表示が、そのまま、当該電子書籍タイトルを販売する広告主の広告を構成している。
なお、上記した広告配信装置１１へのリンク情報、メディアＩＤ、および広告ＩＤは、各電子書籍タイトルの表示の一部としてユーザに露出されることはない。すなわち、それらは、広告に隠されたリンク情報とそれに付加されるパラメータとなっている。
【００６８】
次に、図９を参照して、成果発生処理のフローの例を説明する。
まず、ステップＳ３０１において、ユーザ端末１４の操作により、広告検索結果５０１のうち一の広告（例えば、図１４に示す広告検索結果５０１の広告５０２、５０３、・・・のうち広告５０２）が選択されたとき、ユーザ端末１４から広告配信装置１１に、メディアＩＤ、および選択された広告の広告ＩＤ（広告５０２を出稿した広告主の広告ＩＤ）が送信される。広告配信装置１１の通信部１１５は、メディアＩＤ、および選択された広告の広告ＩＤを受信する。この際、ユーザ端末１４から広告配信装置１１に、ユーザ特定ＩＤも送信されるようにしても良い。
【００６９】
次いで、ステップＳ３０２において、広告配信装置１１の成果発生部１１７は、セッションＩＤを発行するとともに、ユーザ端末１４からのアクセスを、広告ＩＤにより特定される広告主サイトへリダイレクト処理する。発行されたセッションＩＤは、次のステップＳ３０３〜ステップＳ３０６での処理に利用される。
【００７０】
ステップＳ３０３において、広告主サイト１２において、ユーザ端末１４の操作により、会員登録の要求が実行されると、広告主サイト１２は、セッションＩＤとキャリア発行のユーザＩＤを対応づけして会員登録リクエストを、キャリアのサービスセンター１６に送信する。
【００７１】
ステップＳ３０４において、キャリアのサービスセンター１６の認証サーバは、上記会員登録リクエストを受けて、ユーザ端末１４にキャリアパスワードの入力を要求し、その認証処理を実行する。また、キャリアのサービスセンター１６の課金サーバは、認証成功を受けて、課金処理を確定させる。
【００７２】
ステップＳ３０５において、広告主サイト１２は、いわゆるＯＫＵＲＬへのリクエストにより、広告主サイト１２の会員登録処理を確定させる。そして、セッションＩＤおよび広告ＩＤ等のパラメータを付して、広告配信装置１１に成果通信を行う。
【００７３】
次のステップＳ３０６において、広告配信装置１１の通信部１１５は、広告主サイト１２から送信される成果通信を受信する。そして、成果発生部１１７は、広告主サイト１２における会員登録という成果発生行為に対するメディアへの成果値を決定する。広告配信装置１１は、既にユーザ端末１４からメディアＩＤを受信済みであるため、成果通信のパラメータに含まれるセッションＩＤから、メディアを特定することができる。
【００７４】
なおメディアへの成果値をどのように決定するかは、広告配信装置１１の運営者、広告主サイト１２の運営者、メディアサイト１３の運営者が、任意に定めることができる事項である。例えば、メディアサイト１３のユーザ端末１４のユーザに対してキャリアが行う課金請求に対する支払額から、広告主サイトへ決められたキャリア手数料を差し引いた額の一定割合を、メディアへの報酬額とすることができる。
【００７５】
以上により、複数の広告主サイトの書籍検索機能に連動する、成果報酬型の広告配信が実現される。なお、広告費の支払、成果報酬の支払処理のための具体的手法、例えば、口座間の分配金のやり取り等のアルゴリズムは、本発明の本質的部分ではなく、また、本発明の属する技術分野あるいは広告サービスを含む電子商取引分野における既存技術をもとに当業者が適宜に設計可能であるので、詳しい説明は省略する。
【００７６】
ところで、本実施の形態に係る広告配信装置１１では、図２に示すように、キックバック処理部１１８を付加的に備えている。このキックバック処理部１１８が提供する追加機能について、再び図９を参照し、ステップＳ３０６以降の処理に基づき説明する。
【００７７】
まず、既に説明したように、ステップＳ３０６において、広告配信装置１１の通信部１１５は、広告主サイト１２から成果通信を受信している。また、広告配信装置１１には、その成果発生行為が、メディアサイト１３であることも判明している。
しかしながら、広告配信装置１１からの何らかの通信がなければ、メディアサイト１３では、ユーザ端末１４のユーザが会員登録をした事実をリアルタイムで判断することができない。ところが、メディアサイト１３によっては、会員登録をしたユーザに対して、リアルタイムでポイントバックなどのインセンティブを付与したいというニーズがある。
【００７８】
そこで、そのようなニーズのあるメディアサイト１３は、広告配信装置１１から会員登録の事実をＨＴＴＰ通信してもらうための「キックバックＵＲＬ」を、メディア登録の際にあらかじめ登録することができるようにしておく。そして、ステップＳ３０６において広告配信装置１１は、キックバックＵＲＬへ、メディアへの報酬額、ユーザ特定ＩＤ等の必要なパラメータを付してＨＴＴＰ通信する。
【００７９】
ステップＳ３０７において、メディアサイト１３は、受信したユーザ特定ＩＤをキーに受取ユーザを特定し、ポイントバックの処理を実行する。ステップＳ３０８において、ユーザ端末１４は、メディアサイト１３から、ポイント付与の通知を受信し、正式にポイントを受け取る。
【００８０】
本発明は、次のような広告配信システムに拡張しても良い。
すなわち、ユーザ端末１４におけるユーザの操作により、広告配信装置１１の外部にある図示しない検索サイトの第２の検索エンジンの検索窓に検索条件が入力されたとき、広告配信装置１１の通信部１１５が、検索サイトから当該検索条件を受信し、広告配信装置１１の検索エンジン１１６が、検索サイトから受信した検索条件を元に広告検索結果を生成し、広告配信装置１１の通信部１１５が、検索サイトにおいて第２の検索エンジンによる第２の検索結果と合成するために、広告検索結果を検索サイトに送信するよう構成する。
【００８１】
このように構成した場合、電子書籍サイトに限定しない一般のＷｅｂサイトないしＷｅｂページを検索する、汎用の検索サイトでの検索を行うだけで、ユーザは、通常の検索結果（第２の検索結果）と、本発明の広告配信システム１のための検索エンジン１１６による広告検索結果とを、同時に取得することができる。なお、ユーザが成果発生行為に至った場合、メディアに相当する汎用の検索サイトに報酬が支払われるようなサービスを実現することができる。
【００８２】
本発明は、さらに次のような別の広告配信システムに拡張しても良い。
すなわち、ユーザ端末１４の操作により、検索窓付き検索画面から検索条件が入力されたとき、広告配信装置１１の通信部１１５が、広告配信装置１１の外部にある図示しない検索サイトの第２の検索エンジンに、あるいは広告配信装置１１の図示しない第３の検索エンジンに、当該検索条件を転送する。ここで、第２の検索エンジンあるいは第３の検索エンジンは、電子書籍サイトに限定しない一般のＷｅｂサイトないしＷｅｂページを検索する、汎用の検索エンジンであり、その検索条件を元に第３の検索結果を生成する。次いで、広告配信装置１１の通信部１１５が、広告配信装置１１の検索エンジン１１６が生成する広告検索結果と、広告配信装置１１の外部にある図示しない検索サイトの第２の検索エンジンあるいは広告配信装置１１の図示しない第３の検索エンジンが生成する第３の検索結果とを合成して、ユーザ端末１４に送信するよう構成する。
【００８３】
このように構成した場合にも、ユーザは、本発明の広告配信システム１のための検索エンジン１１６による広告検索結果と、電子書籍サイトに限定しない一般のＷｅｂサイトないしＷｅｂページを検索した検索結果である第３の検索結果とを、同時に取得することができる、という利点がある。なお、検索エンジン１１６による広告検索結果を元にユーザが成果発生行為に至った場合には、既に説明した実施の形態における動作にしたがい、メディアへの成果値が決定されるものである。
【００８４】
上記の実施の形態において、広告配信装置１１の検索エンジン用ＤＢ１１３には、電子書籍タイトルに係る広告レコードを格納しているが、電子書籍以外の他のコンテンツ、例えば音楽や映像のタイトルを含めて広告レコードを構成しても良い。
【００８５】
また、広告配信装置１１の検索エンジン１１６が生成する広告検索結果における、広告すなわち電子書籍タイトルの並び順は、検索エンジン１１６の最適化等を通じて任意に設定できるが、メディアサイト１３が、電子書籍を配信する広告主サイトを兼ねており、特に検索された電子書籍タイトルが、当該メディアサイトで配信中の電子書籍タイトルでもある場合には、広告検索結果における広告の掲載順を、当該メディアサイトの広告を優遇して表示されるように（例えば上位に表示されるように）構成しても良い。
【００８６】
以上、複数の実施の形態において図面を引用しつつ例示したが、本発明はこれらに限定されるものではなく、本発明の趣旨を損なうことのない範囲において適宜変更を加えることが可能である。
【産業上の利用可能性】
【００８７】
本発明は、書籍検索結果に連動して電子書籍サイトの広告を掲載し、かつ成果報酬型広告を通じて電子書籍の流通・利用を促進するものであり、電子書籍市場の活性化に大きく寄与し、産業発展への貢献度は大きなものがある。
【図１】
2011022870.tif 000003
【図２】
2011022870.tif 000004
【図３】
2011022870.tif 000005
【図４】
2011022870.tif 000006
【図５】
2011022870.tif 000007
【図６】
2011022870.tif 000008
【図７】
2011022870.tif 000009
【図８】
2011022870.tif 000010
【図９】
2011022870.tif 000011
【図１０】
2011022870.tif 000012
【図１１】
2011022870.tif 000013
【図１２】
2011022870.tif 000014
【図１３】
2011022870.tif 000015
【図１４】
2011022870.tif 000016